(57)【特許請求の範囲】
【請求項１】
下方からケーブルを導入可能とする盤構造体を載置するチャンネルベースであって、
前記盤構造体毎に複数に分割されたベース構造体を組み合わせて前記盤構造体の底面の周縁全体を載置可能な平面視矩形状に構成され、
それぞれの前記ベース構造体は、前記盤構造体を載置する梁部と、この梁部を支持して床面に設置される複数の脚部とを有し、
前記梁部は平面視で非ループ形状をなし、前記梁部と隣り合う前記脚部とにより側面視において下方が開放された略コ字状に形成され、
前記隣り合う脚部の上部を渡すように外方へ突出した鍔部が設けられていることを特徴とするチャンネルベース。
【請求項２】
下方からケーブルを導入可能とする盤構造体を載置するチャンネルベースであって、
前記盤構造体毎に２分割されたベース構造体を組み合わせて前記盤構造体の底面の周縁全体を載置可能な平面視矩形状に構成され、
それぞれの前記ベース構造体は、前記盤構造体を載置する梁部と、この梁部を支持して床面に設置される脚部とを有し、
前記ベース構造体の梁部は、盤構造体の底面周縁の一辺の全体を載置可能な長さに形成された中間梁片と前記盤構造体の前記一辺の両端に続く辺の途中までを載置可能な長さに形成された一対のサイド梁片とにより平面視略コ字状に形成され、
前記脚部は、前記梁部の前記中間梁片から前記サイド梁片への移行部分、及び、前記一対のサイド梁片の先端部分から垂下する支柱によって構成され、前記梁部と隣り合う前記脚部とにより側面視において下方が開放された略コ字状に形成され、
前記隣り合う脚部の上部を渡すように外方へ突出した鍔部が設けられ、
前記それぞれのベース構造体は、互いの梁部の開放された部分を対向させるように組み合わせることを特徴とするチャンネルベース。
【請求項３】
前記２分割されたベース構造体は、梁部が等しい形状に形成されていることを特徴とする請求項２記載のチャンネルベース。
【請求項４】
前記２分割されたベース構造体は、前記中間梁片の長さが等しく、前記一対のサイド梁片の長さが一方のベース構造体と他方のベース構造体とで異なっていることを特徴とする請求項２記載のチャンネルベース。
【請求項５】
前記２分割されたベース構造体のそれぞれは、前記一対のサイド梁片のそれぞれの長さが異なっていることを特徴とする請求項２記載のチャンネルベース。
【発明の詳細な説明】
【技術分野】
【０００１】
この発明は、制御盤や配電盤等のように、下方からケーブルを導入可能とする盤構造体を載置するために用いられるチャンネルベースに関する。
【背景技術】
【０００２】
例えば、自動制御装置，遠隔監視制御装置，系統保護継電装置等の配電盤においては、底面を介して多くのケーブルが導入されるようになっており、このため、これらの盤構造体を設置するチャンネルベースにおいては、図５に示されるように、上面および側面にケーブル１１を通すための開口部２０，２１が形成されている。
【０００３】
しかしながら、チャンネルベース１に設けられる開口部２０，２１は、開放可能な構造となっていないため（全周がチャンネルベースの鋼材で囲まれているため）、配電盤を移設する場合には、一旦ケーブルを取り外し，移設先で再接続した後に試験を行うようにしている。このため、配電盤の移設作業等においては、ケーブルの脱着作業や試験を行うために多大な労力と時間を要しており、非常に煩わしいものである。
【０００４】
このため、このような不都合を解消するために、特許文献１で示されるようなチャンネルベースも提案されている。これは、複数の梁材を碁盤目状に連結してなり水平配置される上部枠体と、上部枠体の適所から下方へ延びる複数の支柱と、該各支柱の下部を支持する下部枠体とを備え、上部枠体と下部枠体との間に配線空間を備えており、上部枠体を構成する梁材の少なくとも一部に開放部を備え、該開放部を開閉する開閉用梁材を設けて、上部枠体上からの作業を行う場合に、枠体の開口部を構成する梁材によって邪魔されずに、ケーブルを任意の場所にある配電盤に移設することができるようにしたものである。
【０００５】
また、チャンネルベースとしては、特許文献２で示されるように、床面に立設される脚部及びその脚部に支持された基本モジュール用梁部を設けてなる基本モジュールと、床面に立設される脚部及びその脚部に増設方向先端部が支持される増設モジュール用梁部を設けてなる増設モジュールとを備え、増設モジュールを、基本モジュール側で隣接する脚部に設けた支持部に増設方向基端部を支持させることにより、基本モジュール側から増設される構成とし、載置する盤構造体の大きさに合わせてチャンネルベースの大きさを調整できるようにしたもの提案されている。
【先行技術文献】
【特許文献】
【０００６】
【特許文献１】特開２００７−２９５６６２号公報
【特許文献２】特開２００２−２９１１１６号公報
【発明の概要】
【発明が解決しようとする課題】
【０００７】
しかしながら、前者の構成においては、盤構造体を複数設置するために碁盤目状にチャンネルベースを連結することが前提となっており、このため、後から盤構造体を追加する場合にチャンネルベースを増加部分だけ増設することが困難な構造である。
【０００８】
この点、後者の構成においては、盤構造体を後から追加する場合にも対応することができ、また、増設される増設モジュールの開放部分を利用すれば、ケーブルを盤構造体から取り外さなくてもチャンネルベースから盤構造体を移設することが可能となるが、基本モジュールの梁部は、どの辺も開放されていない構造であるため、盤構造体の移設時には、従来通り、ケーブルを一旦取り外し，移設先で再接続した後に試験を行う作業が依然として必要になる。
【０００９】
また、増設モジュールは、基本モジュールや他の増設モジュールがあって初めて設置が可能となるものであり、盤構造体毎に自立させる構造となっていないので、盤構造体を単体で移設、設置する場合においては、利用しにくい不都合もある。
【００１０】
本発明はかかる事情に鑑みてなされたものであり、下方からケーブルを導入可能とする盤構造体を載置するために用いられるチャンネルベースにおいて、盤構造体単位での増設、撤去を可能とし、盤構造体の移設作業時等において、ケーブルの盤構造体からの取り外し、移設後の再接続や試験を不要とし、作業工数や工事費用を削減することが可能なチャンネルベースを提供することを主たる課題としている。
【課題を解決するための手段】
【００１１】
上記課題を達成するために、本発明に係るチャンネルベースは、下方からケーブルを導入可能とする盤構造体を載置するチャンネルベースであって、前記盤構造体毎に複数に分割されたベース構造体を組み合わせて前記盤構造体の底面の周縁全体を載置可能な平面視矩形状に構成され、それぞれの前記ベース構造体は、前記盤構造体を載置する梁部と、この梁部を支持して床面に設置される複数の脚部とを有し、前記梁部は平面視で非ループ形状をなし、前記梁部と隣り合う前記脚部とにより側面視において下方が開放された略コ字状に形成され、前記隣り合う脚部の上部を渡すように外方へ突出した鍔部が設けられていることを特徴としている。
【００１２】
したがって、それぞれのベース構造体は、梁部が平面視で非ループ形状に形成され、梁部と隣り合う脚部とによって側面視において下方が開放された略コ字状に形成されているので、盤構造体の取替え、移設作業において、ケーブルが梁部や脚部によって邪魔されることがなくなり、移設作業時等において、ケーブルを盤構造体から取り外す必要がなくなる。
また、隣り合う脚部の上部を渡すように外方へ突出した鍔部を設けたので、チャンネルベースの高さ方向の途中にフリーアクセスフロアの周縁を支持させることが可能となる。
【００１３】
特にチャンネルベースが、盤構造体毎に２分割されたベース構造体を組み合わせて盤構造体の底面の周縁全体を載置可能な平面視矩形状に構成される場合には、
それぞれのベース構造体の梁部を、盤構造体の底面周縁の一辺の全体を載置可能な長さに形成された中間梁片と前記盤構造体の前記一辺の両端に続く辺の途中までを載置可能な長さに形成された一対のサイド梁片とにより平面視略コ字状に形成し、前記ベース構造体の脚部を、前記梁部の前記中間梁片から前記サイド梁片への移行部分、及び、前記一対のサイド梁片の先端部分から垂下する支柱によって構成し、前記梁部と隣り合う前記脚部とによって側面視において下方が開放された略コ字状に形成し、前記隣り合う脚部の上部を渡すように外方へ突出した鍔部を設け、前記それぞれのベース構造体を、互いの梁部の開放された部分を対向させるように組み合わせる構成としてもよい。
【００１４】
したがって、このような構成においては、チャンネルベースは盤構造体毎に２分割されたベース構造体により構成され、各ベース構造体は、上面が中間梁片とその両端に続く一対のサイド梁片とにより平面視略コ字状に形成され、また、上面の開放された部分を除く各辺を含む鉛直面（側面）も梁部と脚部とによって側面視において下方を開放した略コ字状に形成されているので、盤構造体単位でチャンネルベースの増設や移設が可能になるとともに、ケーブルを盤構造体に接続した状態でベース構造体から移動させる場合にも梁部や脚部が邪魔をしてチャンネルベースから外せなくなる不都合もなくなる。このため、盤構造体の移設作業時等において、ケーブルを盤構造体から取り外す必要がなくなるため、移設先でケーブルを再接続した後に試験を行う作業が不要となり、移設作業等を手間をかけずに行うことが可能となる。
【００１５】
ここで、前記２分割されたベース構造体は、梁部が等しい形状に形成されていてもよい。このような構造とすれば、ベース構造体の選別が不要となり、ベース構造体の選択を誤ることがなくなる。
【００１６】
また、２分割されたベース構造体は、前記中間梁片の長さが等しく、前記一対のサイド梁片の長さが一方のベース構造体と他方のベース構造体とで異ならせるようにしてもよい。
このような構成においては、盤構造体をケーブルと共に移設させるために、盤構造体を一方のベース構造体に一旦あずけ、他方のベース構造体を取り外すような場合等において、一方のベース構造体のサイド梁片の長さを他方のベース構造体のサイド梁片の長さよりも長くしておくことで、あずけた状態を安定させて安全に移設作業を行うことが可能となる。
【００１７】
また、前記２分割されたベース構造体のそれぞれは、前記一対のサイド梁片のそれぞれの長さが異なっているようにしてもよい。
【発明の効果】
【００１８】
以上述べたように、本発明によれば、チャンネルベースを盤構造体毎に複数分割されたベース構造体を組み合わせて構成し、それぞれのベース構造体を、盤構造体を載置する梁部と、この梁部を支持して床面に設置される脚部とにより構成し、ベース構造体の梁部を、平面視で非ループ形状とし、梁部と隣り合う脚部とによって側面視において下方が開放された略コ字状に形成するようにしたので（特に、チャンネルベースを２分割のベース構造体を組み合わせて構成する場合には、梁部を、盤構造体の底面周縁の一辺の全体を載置可能な長さに形成された中間梁片と盤構造体の一辺の両端に続く辺の途中までを載置可能な長さに形成された一対のサイド梁片とにより平面視略コ字状に形成し、脚部を、梁部の中間梁片からサイド梁片への移行部分、及び、一対のサイド梁片の先端部分から垂下する支柱によって構成し、それぞれのベース構造体を、互いの梁部の開放された部分を対向させるように組み合わせるようにしたので）、盤構造体単位でチャンネルベースの増設、移設が可能になるとともに、ケーブルが梁部や脚部によって邪魔されることがなくなり、盤構造体の移設作業等において、ケーブルを盤構造体から取り外す作業が不要となる。このため、移設先でケーブルを再接続した後に試験を行う作業が不要となり、移設作業等の効率化を図ることが可能となる。
また、隣り合う脚部の上部を渡すように外方へ突出した鍔部を設けたので、チャンネルベースの高さ方向の途中にフリーアクセスフロアを支持させることが可能となる。
【図面の簡単な説明】
【００１９】
【図１】図１は、本発明に係るチャンネルベースを示す斜視図である。
【図２】図２は、図１に示すチャンネルベースの単体を示す図であり、（ａ）はその斜視図であり、（ｂ）は、その模式図である。
【図３】図３は、本発明に係るチャンネルベースを用いた盤構造体の移設作業を説明する図であり、（ａ）は、移設作業前の状態を示す図、（ｂ）は、一方のベース構造体に盤構造体をあずけ、他方のベース構造体を取り除いた状態を示す図、（ｃ）は盤構造体を倒して台車に載せた状態を示す図である。
【図４】図４は、ベース構造体の各態様を示す模式図である。
【図５】図５は、従来のチャンネルベースを示す斜視図である。
【発明を実施するための形態】
【００２０】
図１及び図２において、本発明に係るチャンネルベース１が示されている。このチャンネルベース１は、自動制御装置，遠隔監視制御装置，系統保護継電装置等の配電盤等からなる盤構造体３を載置固定するものであり、盤構造体３毎に２分割されたベース構造体２，２を組み合わせて構成されている。
それぞれのベース構造体２は、組み合わせた状態において盤構造体３の底面の周縁全体を載置可能な平面視矩形状に構成されているもので、この例では、同一の構造体として構成され、分割面に対して対象形状に形成されている。
【００２１】
また、ベース構造体２は、盤構造体３を載置する梁部５と、この梁部５を支持して床面に設置される脚部６と、図示しないフリーアクセスフロアの周縁を支持する鍔部７とを有して構成されている。
【００２２】
梁部５は、断面Ｌ字状の鋼材によって構成されており、盤構造体３の底面周縁の一辺の全体を載置可能な長さに形成された中間梁片５ａと盤構造体３の一辺の両端に続く辺の途中までを載置可能な長さに形成された一対のサイド梁片５ｂとにより平面視略コ字状に形成されている。この例においては、一対のサイド梁片５ｂは、等しい長さに形成されている。
【００２３】
また、脚部６は、前記梁部５の中間梁片５ａの両端部、即ち、中間梁片５ａからサイド梁片５ｂへの移行部分と、一対のサイド梁片５ｂの先端部分とに設けられているもので、梁部５と一体に成型されて、又は、梁部５に溶接等により固定されて、梁部５から垂下する支柱によって構成されている。したがって、中間梁片５ａと対峙するＡ方向から見た側面視において（中間梁片５ａとその両端部の脚部６を含む面を正面から見た状態において）、中間梁片５ａとその両端部に設けられた脚部６とによって下方が開放された略コ字状に形成され、また、サイド梁片５ｂと対峙するＢ方向から見た側面視において（サイド梁片５ｂとその両端部の脚部６を含む面を正面から見た状態において）、サイド梁片５ｂとその両端部に設けられた脚部６とによって下方が開放された略コ字状に形成されている。
【００２４】
そして、それぞれのベース構造体２は、互いの梁部５の開放された部分を対向させるように組み合わされ、それぞれの梁部５により平面視で盤構造体が載置可能な矩形のループ形状に形成されている。
また、脚部６は、その下端が内側に折り曲げられ床面にボルト８にて固定されており、隣り合うベース構造体２は、サイド梁片５ｂの先端部に形成された脚部６を突き合わせて、脚部同士をボルト９にて連結させている。
【００２５】
尚、１０は、梁部２の上面に形成されて盤構造体３をチャンネルベース１（ベース構造体２）に固定するボルトを挿通させるための孔である。
【００２６】
鍔部７は、梁部５の上面よりも下方となる部位、この例では、隣り合う脚部６の上部を渡すように所定幅の板状の部材を側面から外方へ突出させて構成されている。この鍔部７は、中間梁片５ａを含む側面と、それぞれのサイド梁片５ｂを含む側面の全ての側面に設けるようにしても、それらの一部の側面にのみ設けるようにしてもよい。
【００２７】
したがって、以上の構成において、チャンネルベース１は、盤構造体３毎に２分割されたベース構造体２を組み合わせて構成されているので、後から盤構造体３を追加する場合は、既設のチャンネルベースに対して、それに隣接するように一対のベース構造体２を互いの梁部５の開放された部分を対向させるように組み合わせて隣接配置し、その状態で床面にボルト止めすると共にベース構造体２同士をボルト止めすればよい。
【００２８】
また、盤構造体３の移設作業を行う場合には、図３に示されるように（図３においては、便宜上、単体のチャンネルベース１のみが示されている）、チャンネルベース１に盤構造体３が載置固定され、ケーブル１１が前面の開放部（ベース構造体２の中間梁片５ａとその両端部の脚部６とで囲まれた開口部分）を介して入線されている状態で（図３（ａ））、先ず、ベース構造体２を床面に固定しているボルトや隣接するベース構造体を連結しているボルトを外し、また、盤構造体３をベース構造体２に固定しているボルトを外す。
【００２９】
この状態から、図３（ｂ）に示されるように、盤構造体３を一方のベース構造体２にあずけ、その状態を保持しつつ、他方のベース構造体を抜き取る。この際、他方のベース構造体２は、梁部５が平面視で非ループ形状（コ字形状）に形成され、また、梁部５と隣り合う脚部６（中間梁部５ａとその両端部に設けられた脚部６）とにより側面視においても断面コ字状に形成されているので、ケーブル１１が梁部５や脚部６に干渉することがなく（梁部５や脚部６がベース構造体２を抜き取る際にケーブル１１に邪魔されることがなく）、スムーズに抜き取ることが可能となる。
【００３０】
そして、ケーブル１１を自由に移動できるようにした状態で、ケーブル１１を盤構造体３から外さずに、盤構造体３をゆっくり倒して台車１２に載せ（図３（ｃ））、この状態で盤構造体３をケーブル１１と共に移設先まで移動させ、また、設置されていた一対のベース構造体２も移設先まで移動させる。
【００３１】
その後、移設先において一方のベース構造体２を床面にボルト止めにて固定し、その状態で台車１２上の盤構造体３を起こして、一方のベース構造体２に載置し、この一方のベース構造体２にあずけた状態で、ケーブル１１の位置を整えて、他方のベース構造体２を中間梁片５ａとその両端部の脚部６との間の開口部分にケーブル１１を配置するように盤構造体３の下方へ差し入れる。そして、他方のベース構造体２を床面にボルト止めすると共に両ベース構造体２をボルトにて互いに連結し、また、盤構造体３を梁部５に固定することで盤構造体３の移設作業を終える。
【００３２】
したがって、以上の構成によれば、チャンネルベース１を構成する各ベース構造体２の梁部５が非ループ形状に形成され（２分割構造においては、断面コ字状に形成され）、また、梁部５とこれに取り付けられた隣り合う脚部６とによって、側面視においても下方が開放された略コ字状に形成されているので、移設作業においては、移設したい盤構造体３を載置するベース構造体２のみを移設すればよく、また、ケーブル１１がチャンネルベース１を移動する際に邪魔になることがなく、移設作業をスムーズに行うことができ、また、ケーブル１１を盤構造体３から外さなくても済むので、移設作業を容易かつ短時間で行うことが可能となる。
【００３３】
尚、上述の構成においては、２つのベース構造体２を同形状且つ分割面に対して対称形状とした例を示したが、これに限定されるものではなく、各種変形態様が可能である。例えば、各ベース構造体２のサイド梁部５ｂは、上述の構成例では、図４（ａ）に示されるように、双方のベース構造体２で等しい長さに形成したが、図４（ｂ）に示されるように、一方のベース構造体２のサイド梁部５ｂを相対的に長くし、他方のサイド梁部５ｂを相対的に短くし（例えば、７：３の比率とし）、両ベース構造体２を組み合わせた場合に、盤構造体３の底面の周縁全体を載置可能な平面視矩形状にするようにしてもよい。
このような構成においては、前述した移設作業時に一方のベース構造体２に盤構造体３を預けるような場合において、サイド梁片が長いベース構造体２に盤構造体３をあずけるようにすれば、あずけた状態が安定するので、作業を安全に行うことが可能となる。
【００３４】
また、図４（ｃ）に示されるように、２分割されたそれぞれのベース構造体２において、一対のサイド梁片５ｂのそれぞれの長さを異ならせるようにしてもよい。
【００３５】
さらに、上述した構成例においては、チャンネルベース１を盤構造体３毎に２分割した例を示したが、盤構造体毎に３分割以上のベース構造体２で構成し、これら分割されたベース構造体２を組み合わせて盤構造体３の底面の周縁全体を載置可能な平面視矩形状に形成するようにしてもよい。このような構成においても、それぞれのベース構造体２を、盤構造体３が載置する梁部５と、この梁部５を支持して床面に設置される複数の脚部６とで構成し、梁部５を平面視で非ループ形状とし、梁部５とこれに設けられる隣り合う脚部６とによって側面視において下方が開放された略コ字状に形成することで、同様の作用効果を得ることが可能となる。
【符号の説明】
【００３６】
１  チャンネルベース
２  ベース構造体
３  盤構造体
５  梁部
５ａ  中間梁片
５ｂ  サイド梁片
６  脚部
７  鍔部
１１  ケーブル
【要約】      （修正有）【課題】下方からケーブルを導入可能とする盤構造体を載置するために用いられるチャンネルベースにおいて、盤構造体単位での増設、撤去を可能とし、盤構造体の移設作業時等において、ケーブルの盤構造体からの取り外し、移設後の再接続や試験を不要とする。【解決手段】チャンネルベース１は、盤構造体毎に複数に分割されたベース構造体２を組み合わせて盤構造体３の底面の周縁全体を載置可能な平面視矩形状に構成する。それぞれのベース構造体２は、盤構造体３を載置する梁部５と、この梁部５を支持して床面に設置される複数の脚部６とを有する。梁部５は平面視で非ループ形状をなし（２分割構造においては、平面視で略コ字状に形成され）、梁部５と隣り合う脚部６とによって側面視において下方が開放された略コ字状に形成する。【選択図】図１【図１】
0005555342.tif 000002
【図２】
0005555342.tif 000003
【図３】
0005555342.tif 000004
【図４】
0005555342.tif 000005
【図５】
0005555342.tif 000006